(57)【特許請求の範囲】
【請求項１】
水受け槽内に回転自在に配設した洗濯兼脱水槽と、前記洗濯兼脱水槽の底部に回転自在に配設した撹拌翼と、前記洗濯兼脱水槽の上部を構成し回転時のアンバランスを矯正する環状のバランサーと、前記水受け槽の上方を覆う水受け槽カバーと、前記水受け槽を防振支持する外郭と、前記外郭の上部に前記水受け槽を覆うように設けた外郭カバーとを備え、前記バランサーの下部に洗剤投入口を設け、前記洗剤投入口に洗剤を案内ガイドする開閉自在な案内カバーを着脱自在に設け、前記バランサーの衣類投入面積を極大になるよう構成するとともに、前記案内カバーを前記洗濯兼脱水槽の内側に向け湾曲させた洗濯機。
【請求項２】
案内カバーの上部に注水受け口を設け、前記注水受け口の中心に突起を設けてパランサーに固定するように構成した請求項１記載の洗濯機。
【請求項３】
案内カバーの両端に設けたリブに凹みを設け、バランサーの上部に設けた突起を前記案内カバーに設けた凹みに嵌合して固定するように構成した請求項２記載の洗濯機。
【請求項４】
案内カバーの上部に注水受け口を設け、前記注水受け口の洗濯兼脱水槽の内側を低くした請求項１記載の洗濯機。
【請求項５】
案内カバーの上部の縁の両端を低くなるように湾曲させた請求項１〜４のいずれか１項に記載の洗濯機。
【請求項６】
案内カバー側面のリブに突起を設け、前記案内カバーを開いたときにバランサーまたは洗剤投入口に引っかかり、前記案内カバーを固定または開いたことを触感として確認できるように構成した請求項１〜５のいずれか１項に記載の洗濯機。
【発明の詳細な説明】
【０００１】
【発明の属する技術分野】
本発明は、洗濯物と洗剤を投入して洗濯する洗濯機に関するものである。
【０００２】
【従来の技術】
従来、洗濯機は図９に示すように構成していた。以下、その構成について説明する。
【０００３】
図９に示すように、洗濯兼脱水槽１は、底面に撹拌翼２を回転自在に配置し、この洗濯兼脱水槽１の外側に水受け槽３を設けている。撹拌翼２の裏面には裏羽根２ａを一体に形成しており、裏羽根２ａの外周にはこれを覆うようにポンプ室４を形成しており、複数の送水路５に連通している。複数の送水路５の上部には、洗濯兼脱水槽１の内部に向けて開口した複数の散水口６を設けてあり、送水路５を上昇した洗濯水が洗濯兼脱水槽１の内部に散水されるように構成している。
【０００４】
水受け槽３の底面には洗濯兼脱水槽１と撹拌翼２を駆動するモータ７を取り付け、駆動部の切り替えを行うクラッチ装置８を介して洗濯兼脱水槽１と撹拌翼２を駆動するように構成している。また水受け槽３は、外郭９にサスペンション１０を介して防振支持している。洗濯兼脱水槽１の上部には、液体を内封した流体バランサー１１を固定し、水受け槽３の上面は、水受け槽カバー１２によって覆われている。排水弁１３は洗濯兼脱水槽１内の洗濯水を排水するものである。
【０００５】
水受け槽３を防振支持している外郭９の上部は、給水弁１４、給水経路１５、制御装置１６などを収納した外郭カバー１７によって覆われている。外郭カバー１７の略中央には、衣類の出し入れを行う穴部を有し、この穴部には、外郭蓋１８を開閉自在に配設している。
【０００６】
上記構成において、洗濯行程では、洗濯兼脱水槽１内に投入された洗濯物（衣類等）の量に適した水量を給水弁１４から給水経路１５を通して水受け槽３に供給する。また、衣類投入時、または給水時とほぼ同時に洗剤を投入し、その後撹拌翼２による撹拌を行い、衣類の汚れを除去する行程へと進む。
【０００７】
このとき、洗濯に際して洗濯物（衣類等）の量、または給水された水の量に応じて、粉末洗剤を洗濯兼脱水槽１に投入された洗濯物の上に振りかけるか、給水経路１５の途中に設けた保持部（図示せず）に一時的に粉末洗剤を入れ、給水と同時に洗濯兼脱水槽１に投入された洗濯物の上に供給して落として洗濯を行っていた。
【０００８】
【発明が解決しようとする課題】
このような従来の構成では、洗濯兼脱水槽１に投入する洗剤には粉末洗剤や液体洗剤があり、粉末洗剤においては、昨今濃縮タイプが主流となり、水に対しての溶解性が悪くなってきているため、洗剤を直接衣類の上に投入した場合などは、衣類の中に洗剤が包み込まれたり、強固に貼り付いたりして溶け残り、洗浄性能が出ないばかりでなく、洗濯終了後に洗剤が残っていてもう一度洗濯をやり直す必要が発生する場合があった。
【０００９】
これは、直接洗濯物の上に洗剤を投入することに起因している。直接、洗濯物の上に洗剤を投入しないものとして、図１０に示すように、流体バランサー１１の下部に設けた洗剤投入口（図示せず）に洗剤を案内する開閉自在な案内カバー１９を着脱自在に設け、この案内カバー１９により洗剤を案内して洗濯兼脱水槽１と水受け槽３の間に投入し洗濯を行うよう構成したものがある。
【００１０】
この構成では、流体バランサー１１の案内カバー１９の両側には、流体バランサー１１は平面部１１ａを有し、外郭カバー１７の略中央にある衣類の出し入れを行う開口面の衣類投入面積を狭くさせていた。これにより、衣類等の出し入れが困難であるという不具合を生じていた。
【００１１】
本発明は上記従来の課題を解決するもので、洗剤を洗濯兼脱水槽と水受け槽の間に容易に投入できるようにするとともに、洗濯兼脱水槽の衣類投入面積を拡大し、洗濯物の出し入れを容易にして、布団などの大きな洗濯物も洗濯兼脱水槽に容易に投入できるようにすることを目的としている。
【００１２】
【課題を解決するための手段】
本発明は上記目的を達成するために、水受け槽内に回転自在に配設した洗濯兼脱水槽の底部に撹拌翼を回転自在に配設し、洗濯兼脱水槽の上部を回転時のアンバランスを矯正する環状のバランサーにより構成し、水受け槽の上方を水受け槽カバーにより覆い、水受け槽を防振支持する外郭の上部に水受け槽を覆うように外郭カバーを設け、バランサーの下部に洗剤投入口を設け、洗剤投入口に洗剤を案内ガイドする開閉自在な案内カバーを着脱自在に設け、バランサーの衣類投入面積を極大になるよう構成するとともに、前記案内カバーを前記洗濯兼脱水槽の内側に向け湾曲させたものである。
【００１３】
これにより、洗剤を洗濯兼脱水槽と水受け槽の間に容易に投入できるとともに、洗濯兼脱水槽の衣類投入面積を拡大することができて、洗濯物の出し入れを容易にでき、布団などの大きな洗濯物も洗濯兼脱水槽に容易に投入することができ、さらに、水受け槽の上部を覆う水受け槽カバーから案内カバーの上部に設けた注水受け口への給水を流入し易くすることができ、案内カバー上に洗剤が残っていても流し出すことができ、洗剤を投入する通路に洗剤が残るのを防止することができる。
【００１４】
【発明の実施の形態】
本発明の請求項１に記載の発明は、水受け槽内に回転自在に配設した洗濯兼脱水槽と、前記洗濯兼脱水槽の底部に回転自在に配設した撹拌翼と、前記洗濯兼脱水槽の上部を構成し回転時のアンバランスを矯正する環状のバランサーと、前記水受け槽の上方を覆う水受け槽カバーと、前記水受け槽を防振支持する外郭と、前記外郭の上部に前記水受け槽を覆うように設けた外郭カバーとを備え、前記バランサーの下部に洗剤投入口を設け、前記洗剤投入口に洗剤を案内ガイドする開閉自在な案内カバーを着脱自在に設け、前記バランサーの衣類投入面積を極大になるよう構成するとともに、前記案内カバーを前記洗濯兼脱水槽の内側に向け湾曲させたものであり、洗剤を洗剤投入口より洗濯兼脱水槽と水受け槽の間に容易に投入できるとともに、洗濯兼脱水槽の衣類投入面積を拡大することができて、洗濯物の出し入れを容易にでき、布団などの大きな洗濯物も洗濯兼脱水槽に容易に投入することができ、さらに、水受け槽の上部を覆う水受け槽カバーから案内カバーの上部に設けた注水受け口への給水を流入し易くすることができ、案内カバー上に洗剤が残っていても流し出すことができ、洗剤を投入する通路に洗剤が残るのを防止することができる。
【００１５】
請求項２に記載の発明は、上記請求項１に記載の発明において、案内カバーの上部に注水受け口を設け、前記注水受け口の中心に突起を設けてパランサーに固定するように構成したものであり、案内カバーを閉めるときに案内カバーが湾曲して閉め難いなどの操作性の不具合を改善することができ、また容易にかつ確実に案内カバーをバランサーに固定することができ、使い勝手を向上することができる。
【００１６】
請求項３に記載の発明は、上記請求項２に記載の発明において、案内カバーの両端に設けたリブに凹みを設け、バランサーの上部に設けた突起を前記案内カバーに設けた凹みに嵌合して固定するように構成したものであり、バランサーに設けた突起を案内カバーに設けた凹みに嵌合することで、案内カバーを確実に保持することができ、流体を内封するために上部、下部の部品を溶着または接着したバランサーの高さが多少ばらついたとしても、一定の保持力で案内カバーを保持することができる。
【００１７】
請求項４に記載の発明は、上記請求項１に記載の発明において、案内カバーの上部に注水受け口を設け、前記注水受け口の洗濯兼脱水槽の内側を低くしたものであり、案内カバーの上部に設けた注水受け口の面積が増えるため、水受け槽の上部を覆う水受け槽カバーから注水受け口への給水を流入し易くすることができ、案内カバー上に洗剤が残っていても流し出すことができ、洗剤を投入する通路に洗剤が残るのを防止することができる。
【００１８】
請求項５に記載の発明は、上記請求項１〜４に記載の発明において、案内カバーの上部の縁の両端を低くなるように湾曲させたものであり、水受け槽の上部を覆う水受け槽カバーから注水受け口への給水を流入し易くすることができ、案内カバー上に洗剤が残っていても流し出すことができ、洗剤を投入する通路に洗剤が残るのを防止することができる。
【００１９】
請求項６に記載の発明は、上記請求項１〜５に記載の発明において、案内カバー側面のリブに突起を設け、前記案内カバーを開いたときにバランサーまたは洗剤投入口に引っかかり、前記案内カバーを固定または開いたことを触感として確認できるように構成したものであり、洗濯兼脱水槽の中に洗濯物が多く入っているときに案内カバーを完全に開いて洗剤を投入することができ、洗剤投入の操作性を大幅に向上することができる。
【００２０】
【実施例】
以下、本発明の実施例について、図面を参照しながら説明する。なお、従来例と同じ構成のものは同一符号を付して説明を省略する。
【００２１】
（実施例１）
図１に示すように、環状の流体バランサー（バランサー）２０は、洗濯兼脱水槽２１の上部を構成し、洗濯兼脱水槽２１を回転させたときのアンバランスを矯正するもので、この流体バランサー２０の下部に洗剤投入口２２を設けている。案内カバー２３は、洗剤を洗剤投入口２２に案内ガイドするもので、開閉自在で、かつ着脱自在に設けている。この案内カバー２３を通して洗剤を洗濯兼脱水槽２１と水受け槽３の間に投入し、洗剤を溶解するように構成している。
【００２２】
ここで、流体バランサー２０は、図２に示すように、案内カバー２３の両側には、平面部を設けることなく開口面を略円形として、衣類投入面積が極大になるよう構成している。他の構成は従来例と同じである。
【００２３】
上記構成において動作を説明すると、洗濯兼脱水槽２１内に洗濯物（衣類等）を投入し、案内カバー２３を開いて案内カバー２３上に洗剤を載置し、案内カバー２３を閉じると、洗剤は洗剤投入口２２から洗濯兼脱水槽２１と水受け槽３との間に投入することができる。その後、運転を開始すると、制御装置１６によりモータ７、給水弁１４などの動作を制御し、洗い、すすぎ、脱水の一連の行程を逐次制御し、洗濯物を洗った後、すすぎ、脱水する。
【００２４】
このとき、流体バランサー２０は、案内カバー２３の両側には平面部を設けることなく開口面を略円形として、衣類投入面積が極大になるよう構成しているため、洗濯物を洗濯兼脱水槽２１に投入するための開口面を大きくとることができ、洗濯物の出し入れがしやすくなり、布団などの大きな洗濯物も洗濯兼脱水槽２１に容易に投入することができる。
【００２５】
（実施例２）
図３に示すように、案内カバー２３ａは、流体バランサー２０ａの下部に設けた洗剤投入口２２ａに洗剤を案内ガイドするもので、開閉自在で、かつ着脱自在に設けている。この案内カバー２３ａの上部に注水受け口２４を設け、この注水受け口２４の中央部に突起２５を設けている。他の構成は上記実施例１と同じである。
【００２６】
上記構成において、案内カバー２３ａを閉める時に案内カバー２３ａが湾曲して閉め難いなどの操作性の不具合を改善することができ、また容易にかつ確実に案内カバー２３ａを流体バランサー２０ａに固定することができ、使い勝手を向上することができる。
【００２７】
（実施例３）
図４に示すように、案内カバー２３ｂは、流体バランサー２０ｂの下部に設けた洗剤投入口２２ｂに洗剤を案内ガイドするもので、開閉自在で、かつ着脱自在に設け、この案内カバー２３ｂの上部に注水受け口２４ｂを設けている。案内カバー２３ｂの両端にリブ２６を設け、このリブ２６に凹み２７を設けている。
【００２８】
流体バランサー２０ｂの上部に突起２８を設け、この突起２８を案内カバー２３ｂに設けた凹み２７に嵌合して、案内カバー２３ｂを流体バランサー２０ｂに固定するように構成している。他の構成は上記実施例１または２と同じである。
【００２９】
上記構成において、流体バランサー２０ｂは、元々流体を内封するために上部、下部の部品を溶着または接着して構成しており、高さを一定に保つのは困難である。このため、案内カバー２３ｂの両端に設けたリブ２６に凹み２７を設け、流体バランサー２０ｂの上部に設けた突起２８を案内カバー２３ｂに設けた凹み２７に嵌合して固定することにより、流体バランサー２０ｂの高さがばらついても、案内カバー２３ｂは一定の保持力で固定することができ、洗濯中に洗濯物に押されて開いたりするなどの不安全な状態を防ぐことができる。
【００３０】
（実施例４）
図５に示すように、案内カバー２３ｃは、流体バランサー２０ｃの下部に設けた洗剤投入口（図示せず）に洗剤を案内ガイドするもので、開閉自在で、かつ着脱自在に設け、この案内カバー２３ｃの上部に注水受け口２４ｃを設けている。この案内カバー２３ｃを洗濯兼脱水槽の中央に向け湾曲するように構成している。他の構成は上記実施例１〜３と同じである。
【００３１】
上記構成において、案内カバー２３ｃを洗濯兼脱水槽の中央に向け湾曲させることにより、案内カバー２３ｃの上部に設けた注水受け口２４ｃの面積が増えるため、水受け槽の上部を覆う水受け槽カバーから注水受け口２４ｃへの給水を効率的に行うことができ、案内カバー２３ｃ上に洗剤が残っていても流し出すことができ、案内カバー２３ｃ上に洗剤が付着するのを防止することができる。
【００３２】
（実施例５）
図６に示すように、案内カバー２３ｄは、流体バランサー２０ｄの下部に設けた洗剤投入口（図示せず）に洗剤を案内ガイドするもので、開閉自在で、かつ着脱自在に設け、この案内カバー２３ｄの上部に注水受け口２４ｄを設けている。この注水受け口２４ｄを洗濯兼脱水槽の中央に向かって低くなるよう傾斜させている。他の構成は上記実施例１〜４と同じである。
【００３３】
上記構成において、注水受け口２４ｄを洗濯兼脱水槽の中央に向かって低くなるよう傾斜させることにより、案内カバー２３ｄの上部に設けた注水受け口２４ｄの面積が増えるため、水受け槽の上部を覆う水受け槽カバーから注水受け口２４ｄへの給水を効率的に行うことができ、案内カバー２３ｄ上に洗剤が残っていても流し出すことができ、案内カバー２３ｄ上に洗剤が付着するのを防止することができる。
【００３４】
（実施例６）
図７に示すように、案内カバー２３ｅは、流体バランサー２０ｅの下部に設けた洗剤投入口（図示せず）に洗剤を案内ガイドするもので、開閉自在で、かつ着脱自在に設け、この案内カバー２３ｅの上部に注水受け口２４ｅを設けている。案内カバー２３ｅの上部の縁の両端が低くなるように湾曲させている。他の構成は上記実施例１〜５と同じである。
【００３５】
上記構成において、案内カバー２３ｅの上部の縁の両端が低くなるように湾曲させることにより、案内カバー２３ｅの両端まで、水受け槽の上部を覆う水受け槽カバーから注水受け口２４ｅへの給水を効率的に行うことができ、案内カバー２３ｅ上に洗剤が残っていても流し出すことができ、案内カバー２３ｅ上に洗剤が付着するのを防止することができる。
【００３６】
（実施例７）
図８に示すように、案内カバー２３ｆは、流体バランサー２０ｆの下部に設けた洗剤投入口２２ｆに洗剤を案内ガイドするもので、開閉自在で、かつ着脱自在に設け、この案内カバー２３ｆの上部に注水受け口２４ｆを設けている。案内カバー２３ｆの側面にリブ２６ｆを設け、このリブ２６ｆに突起２９を設け、案内カバー２３ｆを開いたとき、流体バランサー２０ｆまたは洗剤投入口２２ｆに引っかかり、案内カバー２３ｆを固定または開いたことを触感として確認できるように構成している。他の構成は上記実施例１〜５と同じである。
【００３７】
上記構成において、案内カバー２３ｆを開いたとき、リブ２６ｆに設けた突起２９が流体バランサー２０ｆまたは洗剤投入口２２ｆに引っかかり、案内カバー２３ｆを固定または開いたことを触感として確認できるので、洗濯兼脱水槽の中に洗濯物（衣類等）が多く入っているときに、案内カバー２３ｆを完全に開いて、洗剤を投入することができ、洗剤投入の操作性を大幅に向上することができる。
【００３８】
【発明の効果】
以上のように本発明の請求項１に記載の発明によれば、水受け槽内に回転自在に配設した洗濯兼脱水槽と、前記洗濯兼脱水槽の底部に回転自在に配設した撹拌翼と、前記洗濯兼脱水槽の上部を構成し回転時のアンバランスを矯正する環状のバランサーと、前記水受け槽の上方を覆う水受け槽カバーと、前記水受け槽を防振支持する外郭と、前記外郭の上部に前記水受け槽を覆うように設けた外郭カバーとを備え、前記バランサーの下部に洗剤投入口を設け、前記洗剤投入口に洗剤を案内ガイドする開閉自在な案内カバーを着脱自在に設け、前記バランサーの衣類投入面積を極大になるよう構成するとともに、前記案内カバーを前記洗濯兼脱水槽の内側に向け湾曲させたから、洗剤を洗剤投入口より洗濯兼脱水槽と水受け槽の間に容易に投入できるとともに、洗濯兼脱水槽の衣類投入面積を拡大することができて、洗濯物の出し入れを容易にでき、布団などの大きな洗濯物も洗濯兼脱水槽に容易に投入することができ、使い勝手を向上することができ、さらに、水受け槽の上部を覆う水受け槽カバーから案内カバーの上部に設けた注水受け口への給水を流入し易くすることができ、案内カバー上に洗剤が残っていても流し出すことができ、洗剤を投入する通路に洗剤が残るのを防止することができる。
【００３９】
また、請求項２に記載の発明によれば、案内カバーの上部に注水受け口を設け、前記注水受け口の中心に突起を設けてパランサーに固定するように構成したから、案内カバーを閉めるときに案内カバーが湾曲して閉め難いなどの操作性の不具合を改善することができ、また容易にかつ確実に案内カバーをバランサーに固定することができ、使い勝手を向上することができる。
【００４０】
また、請求項３に記載の発明によれば、案内カバーの両端に設けたリブに凹みを設け、バランサーの上部に設けた突起を前記案内カバーに設けた凹みに嵌合して固定するように構成したから、案内カバーを確実に保持することができ、流体を内封するために上部、下部の部品を溶着または接着したバランサーの高さが多少ばらついたとしても、一定の保持力で案内カバーを保持することができる。
【００４１】
また、請求項４に記載の発明によれば、案内カバーの上部に注水受け口を設け、前記注水受け口の洗濯兼脱水槽の内側を低くしたから、案内カバーの上部に設けた注水受け口の面積が増えるため、水受け槽の上部を覆う水受け槽カバーから注水受け口への給水を流入し易くすることができ、案内カバー上に洗剤が残っていても流し出すことができ、洗剤を投入する通路に洗剤が残るのを防止することができる。
【００４２】
また、請求項５に記載の発明によれば、案内カバーの上部の縁の両端を低くなるように湾曲させたから、水受け槽の上部を覆う水受け槽カバーから注水受け口への給水を流入し易くすることができ、案内カバー上に洗剤が残っていても流し出すことができ、洗剤を投入する通路に洗剤が残るのを防止することができる。
【００４３】
また、請求項６に記載の発明によれば、案内カバー側面のリブに突起を設け、前記案内カバーを開いたときにバランサーまたは洗剤投入口に引っかかり、前記案内カバーを固定または開いたことを触感として確認できるように構成したから、洗濯兼脱水槽の中に洗濯物が多く入っているときに案内カバーを完全に開いて洗剤を投入することができ、洗剤投入の操作性を大幅に向上することができる。
【図面の簡単な説明】
【図１】  本発明第１の実施例の洗濯機の断面図
【図２】  同洗濯機の要部拡大平面図
【図３】  本発明第２の実施例の洗濯機の要部斜視図
【図４】  本発明第３の実施例の洗濯機の要部斜視図
【図５】  本発明第４の実施例の洗濯機の要部斜視図
【図６】  本発明第５の実施例の洗濯機の要部斜視図
【図７】  本発明第６の実施例の洗濯機の要部斜視図
【図８】  本発明第７の実施例の洗濯機の要部斜視図
【図９】  従来の洗濯機の断面図
【図１０】  同洗濯機の要部拡大平面図
【符号の説明】
２    撹拌翼
３    水受け槽
９    外郭
１２  水受け槽カバー
１７  外郭カバー
２０  流体バランサー（バランサー）
２１  洗濯兼脱水槽
２２  洗剤投入口
２３  案内カバー
【図１】
0004258940.tif 000002
【図２】
0004258940.tif 000003
【図３】
0004258940.tif 000004
【図４】
0004258940.tif 000005
【図５】
0004258940.tif 000006
【図６】
0004258940.tif 000007
【図７】
0004258940.tif 000008
【図８】
0004258940.tif 000009
【図９】
0004258940.tif 000010
【図１０】
0004258940.tif 000011